【手続補正書】
【提出日】平成16年4月21日(2004.4.21)
【手続補正１】
【補正対象書類名】明細書
【補正対象項目名】全文
【補正方法】変更
【補正の内容】
【発明の名称】情報供給方法と情報供給システム及び情報読出装置
【特許請求の範囲】
【請求項１】一つの入力部に入力されたデータを書き込み可能で書換え可能な第１記憶領域を設け、
一連に再生可能な第１のデータを前記一つの入力部に入力して前記第１記憶領域に書き加えながら、その第１記憶領域に書き込まれている第１のデータを、その第１のデータの途中に第２のデータが挿入されるように、前記第１記憶領域中の複数位置の各々から読み出して、複数の端末に送信する情報供給方法。
【請求項２】前記第２のデータを書き込み可能な第２記憶領域を設け、
前記第１のデータを、その第１のデータの途中に前記第２記憶領域から読み出した第２のデータが挿入されるように、前記第１記憶領域中の複数位置の各々から読み出す請求項１記載の情報供給方法。
【請求項３】前記第１記憶領域と前記第２記憶領域との双方を、一つの入力部に入力されたデータを書き込み可能で書換え可能な共通の記憶領域中に設けてある請求項２記載の情報供給方法。
【請求項４】前記第１のデータの前記第１記憶領域からの読出動作を、前記複数位置の各々から読み出している第１のデータ毎に指定された位置において中断して、前記第２のデータの前記第２記憶領域からの読出動作を開始し、前記第２のデータの前記第２記憶領域からの読出動作を停止して、前記第１のデータの前記第１記憶領域からの読出動作を再開することにより、
前記第１のデータを、その第１のデータの途中に前記第２記憶領域から読み出した第２のデータが挿入されるように、前記第１記憶領域中の複数位置の各々から読み出す請求項２又は３記載の情報供給方法。
【請求項５】前記第１のデータの前記第１記憶領域からの読出動作を、前記複数位置の各々から読み出している第１のデータ毎に指定された位置において中断して、前記第１のデータを、その第１のデータの途中に第２のデータが挿入されるように、前記第１記憶領域中の複数位置の各々から読み出す請求項１〜３のいずれか１項記載の情報供給方法。
【請求項６】前記第１のデータを、その第１のデータの途中に第２のデータが端末からの要求に応じて挿入されるように、前記第１記憶領域中の複数位置の各々から読み出す請求項１〜５のいずれか１項記載の情報供給方法。
【請求項７】前記第１のデータを、その第１のデータの途中に第２のデータが端末からの要求に応じた量で挿入されるように、前記第１記憶領域中の複数位置の各々から読み出す請求項１〜６のいずれか１項記載の情報供給方法。
【請求項８】一つの入力部に入力されたデータを書き込み可能で書換え可能な第１記憶領域を設け、
一連に再生可能な第１のデータを前記一つの入力部に入力して前記第１記憶領域に書き加えながら、その第１記憶領域に書き込まれている第１のデータを、その第１のデータの途中に第２のデータが挿入されるように、前記第１記憶領域中の複数位置の各々から読み出して、複数の端末に送信可能に設けてある情報供給システム。
【請求項９】前記第２のデータを書き込み可能な第２記憶領域を設け、
前記第１のデータを、その第１のデータの途中に前記第２記憶領域から読み出した第２のデータが挿入されるように、前記第１記憶領域中の複数位置の各々から読み出し可能に設けてある請求項８記載の情報供給システム。
【請求項１０】前記第１記憶領域と前記第２記憶領域との双方を、一つの入力部に入力されたデータを書き込み可能で書換え可能な共通の記憶領域中に設けてある請求項９記載の情報供給システム。
【請求項１１】前記第１のデータの前記第１記憶領域からの読出動作を、前記複数位置の各々から読み出している第１のデータ毎に指定された位置において中断して、前記第２のデータの前記第２記憶領域からの読出動作を開始し、前記第２のデータの前記第２記憶領域からの読出動作を停止して、前記第１のデータの前記第１記憶領域からの読出動作を再開することにより、
前記第１のデータを、その第１のデータの途中に前記第２記憶領域から読み出した第２のデータが挿入されるように、前記第１記憶領域中の複数位置の各々から読み出し可能に設けてある請求項９又は１０記載の情報供給システム。
【請求項１２】前記第１のデータの前記第１記憶領域からの読出動作を、前記複数位置の各々から読み出している第１のデータ毎に指定された位置において中断して、前記第１のデータを、その第１のデータの途中に第２のデータが挿入されるように、前記第１記憶領域中の複数位置の各々から読み出し可能に設けてある請求項８〜１０のいずれか１項記載の情報供給システム。
【請求項１３】前記第１のデータを、その第１のデータの途中に第２のデータが端末からの要求に応じて挿入されるように、前記第１記憶領域中の複数位置の各々から読み出し可能に設けてある請求項８〜１２のいずれか１項記載の情報供給システム。
【請求項１４】前記第１のデータを、その第１のデータの途中に第２のデータが端末からの要求に応じた量で挿入されるように、前記第１記憶領域中の複数位置の各々から読み出し可能に設けてある請求項８〜１３のいずれか１項記載の情報供給システム。
【請求項１５】一つの入力部に入力されたデータを書き込み可能で書換え可能な第１記憶領域を設け、
一連に再生可能な第１のデータを前記一つの入力部に入力して前記第１記憶領域に書き加えながら、その第１記憶領域に書き込まれている第１のデータを、その第１のデータの途中に第２のデータが挿入されるように、前記第１記憶領域中の複数位置の各々から読み出し可能に設けてある情報読出装置。
【請求項１６】前記第２のデータを書き込み可能な第２記憶領域を設け、
前記第１のデータを、その第１のデータの途中に前記第２記憶領域から読み出した第２のデータが挿入されるように、前記第１記憶領域中の複数位置の各々から読み出し可能に設けてある請求項１５記載の情報読出装置。
【請求項１７】前記第１記憶領域と前記第２記憶領域との双方を、一つの入力部に入力されたデータを書き込み可能で書換え可能な共通の記憶領域中に設けてある請求項１６記載の情報読出装置。
【請求項１８】前記第１のデータの前記第１記憶領域からの読出動作を、前記複数位置の各々から読み出している第１のデータ毎に指定された位置において中断して、前記第２のデータの前記第２記憶領域からの読出動作を開始し、前記第２のデータの前記第２記憶領域からの読出動作を停止して、前記第１のデータの前記第１記憶領域からの読出動作を再開することにより、
前記第１のデータを、その第１のデータの途中に前記第２記憶領域から読み出した第２のデータが挿入されるように、前記第１記憶領域中の複数位置の各々から読み出し可能に設けてある請求項１６又は１７記載の情報読出装置。
【請求項１９】前記第１のデータの前記第１記憶領域からの読出動作を、前記複数位置の各々から読み出している第１のデータ毎に指定された位置において中断して、前記第１のデータを、その第１のデータの途中に第２のデータが挿入されるように、前記第１記憶領域中の複数位置の各々から読み出し可能に設けてある請求項１５〜１７のいずれか１項記載の情報読出装置。
【請求項２０】前記第１のデータを、その第１のデータの途中に第２のデータが端末からの要求に応じて挿入されるように、前記第１記憶領域中の複数位置の各々から読み出し可能に設けてある請求項１５〜１９のいずれか１項記載の情報読出装置。
【請求項２１】前記第１のデータを、その第１のデータの途中に第２のデータが端末からの要求に応じた量で挿入されるように、前記第１記憶領域中の複数位置の各々から読み出し可能に設けてある請求項１５〜２０のいずれか１項記載の情報読出装置。
【発明の詳細な説明】
【０００１】
【発明の属する技術分野】
本発明は、記憶領域に書き込まれている一連に再生可能な第１のデータを、その第１のデータの途中に第２のデータが挿入されるように、記憶領域中の複数位置の各々から読み出して、複数の端末に送信する技術に関する。
【０００２】
【従来の技術】
記憶領域に書き込まれている一連に再生可能な第１のデータを、その第１のデータの途中に第２のデータが挿入されるように、記憶領域中の複数位置の各々から読み出して、複数の端末に送信する技術では、従来、ビデオ映像の画像データ等の第１のデータの記憶手段からの読み出しを一定の時間間隔で開始して、端末からの送信要求があると、その送信要求があってから最先に読み出しが開始される第１のデータをその端末へ送信するように構成している。
そして、第１のデータの端末への送信を中断して、宣伝広告用の画像データ等の第２のデータをその端末に送信するにあたって、第１のデータの端末への送信を停止してから、その第１のデータの続きが読出開始時刻が遅い別の第１のデータとして読み出される迄の間に第２のデータを送信するように構成している。
【０００３】
【発明が解決しようとする課題】
上記従来技術によれば、記憶領域に記憶されていない第１のデータについては、その第１のデータの全部を記憶領域に書き込み終えるまで、第１のデータの途中に第２のデータが挿入されるように、記憶領域中の複数位置の各々から読み出して、複数の端末に送信できない欠点がある。
本発明は上記実情に鑑みてなされたものであって、記憶領域に記憶されていない第１のデータでも、迅速に送信できるようにすることを目的とする。
【０００４】
【課題を解決するための手段】
請求項１記載の情報供給方法は、一つの入力部に入力されたデータを書き込み可能で書換え可能な第１記憶領域を設け、一連に再生可能な第１のデータを前記一つの入力部に入力して前記第１記憶領域に書き加えながら、その第１記憶領域に書き込まれている第１のデータを、その第１のデータの途中に第２のデータが挿入されるように、前記第１記憶領域中の複数位置の各々から読み出して、複数の端末に送信するので、第１記憶領域に記憶されていない第１のデータでも、その第１のデータの全部を第１記憶領域に書き込み終えるまで待つことなく、第１記憶領域にその第１のデータを書き加えながら、その第１記憶領域に書き込まれている第１のデータを、その第１のデータの途中に第２のデータが挿入されるように、第１記憶領域中の複数位置の各々から読み出すことができるとともに、その第１記憶領域に別の第１のデータが既に書き込まれている場合は、既に書き込まれている別の第１のデータを書き換えながら、読出位置が異なる複数の第１のデータをその第１記憶領域から読み出すことができる。
従って、第１記憶領域に記憶されていない第１のデータでも、第１記憶領域にその第１のデータを書き加えながら、その第１記憶領域に書き込まれている第１のデータを、その第１のデータの途中に第２のデータが挿入されるように、第１記憶領域中の複数位置の各々から読み出して複数の端末に迅速に送信することができ、しかも、第１のデータ全部を第１記憶領域に予め書き込んでおくことを要しないので、第１記憶領域に記憶される第１のデータの管理を煩雑化することなく、記憶手段の有効活用を図ることができる。
請求項２記載の情報供給方法は、前記第２のデータを書き込み可能な第２記憶領域を設け、前記第１のデータを、その第１のデータの途中に前記第２記憶領域から読み出した第２のデータが挿入されるように、前記第１記憶領域中の複数位置の各々から読み出すので、第２のデータを第２記憶領域に書き込んでおいて、その第２記憶領域から読み出した第２のデータを第１のデータの途中に挿入できる。
請求項３記載の情報供給方法は、前記第１記憶領域と前記第２記憶領域との双方を、一つの入力部に入力されたデータを書き込み可能で書換え可能な共通の記憶領域中に設けてあるので、第１記憶領域と第２記憶領域とを、各別の入力部に入力されたデータを書き込み可能で書換え可能な各別の記憶領域で構成する場合に比べて、第２記憶領域から読み出した第２のデータを第１のデータの途中に挿入するタイミングを設定し易い。
請求項４記載の情報供給方法は、前記第１のデータの前記第１記憶領域からの読出動作を、前記複数位置の各々から読み出している第１のデータ毎に指定された位置において中断して、前記第２のデータの前記第２記憶領域からの読出動作を開始し、前記第２のデータの前記第２記憶領域からの読出動作を停止して、前記第１のデータの前記第１記憶領域からの読出動作を再開することにより、前記第１のデータを、その第１のデータの途中に前記第２記憶領域から読み出した第２のデータが挿入されるように、前記第１記憶領域中の複数位置の各々から読み出すので、第２のデータの読み出し中は第１のデータの読出動作を中断しておくことができ、第２のデータの読出所要時間が任意に設定されていても、その第２のデータの読出動作を停止すると、第１のデータの続きをタイミング良く読み出すことができる。
請求項５記載の情報供給方法は、前記第１のデータの前記第１記憶領域からの読出動作を、前記複数位置の各々から読み出している第１のデータ毎に指定された位置において中断して、前記第１のデータを、その第１のデータの途中に第２のデータが挿入されるように、前記第１記憶領域中の複数位置の各々から読み出すので、第２のデータの挿入所要時間が任意に設定されていても、その第２のデータを挿入した後、第１のデータの続きをタイミング良く読み出すことができる。
請求項６記載の情報供給方法は、前記第１のデータを、その第１のデータの途中に第２のデータが端末からの要求に応じて挿入されるように、前記第１記憶領域中の複数位置の各々から読み出すので、第１のデータの途中に第２のデータを端末からの要求に応じて挿入できる。
請求項７記載の情報供給方法は、前記第１のデータを、その第１のデータの途中に第２のデータが端末からの要求に応じた量で挿入されるように、前記第１記憶領域中の複数位置の各々から読み出すので、第１のデータの途中に第２のデータを端末からの要求に応じた量で挿入できる。
請求項８記載の情報供給システムは、一つの入力部に入力されたデータを書き込み可能で書換え可能な第１記憶領域を設け、一連に再生可能な第１のデータを前記一つの入力部に入力して前記第１記憶領域に書き加えながら、その第１記憶領域に書き込まれている第１のデータを、その第１のデータの途中に第２のデータが挿入されるように、前記第１記憶領域中の複数位置の各々から読み出して、複数の端末に送信可能に設けてあるので、第１記憶領域に記憶されていない第１のデータでも、その第１のデータの全部を第１記憶領域に書き込み終えるまで待つことなく、第１記憶領域にその第１のデータを書き加えながら、その第１記憶領域に書き込まれている第１のデータを、その第１のデータの途中に第２のデータが挿入されるように、第１記憶領域中の複数位置の各々から読み出すことができるとともに、その第１記憶領域に別の第１のデータが既に書き込まれている場合は、既に書き込まれている別の第１のデータを書き換えながら、読出位置が異なる複数の第１のデータをその第１記憶領域から読み出すことができる。
従って、第１記憶領域に記憶されていない第１のデータでも、第１記憶領域にその第１のデータを書き加えながら、その第１記憶領域に書き込まれている第１のデータを、その第１のデータの途中に第２のデータが挿入されるように、第１記憶領域中の複数位置の各々から読み出して複数の端末に迅速に送信することができ、しかも、第１のデータ全部を第１記憶領域に予め書き込んでおくことを要しないので、第１記憶領域に記憶される第１のデータの管理を煩雑化することなく、記憶手段の有効活用を図ることができる。
請求項９記載の情報供給システムは、前記第２のデータを書き込み可能な第２記憶領域を設け、前記第１のデータを、その第１のデータの途中に前記第２記憶領域から読み出した第２のデータが挿入されるように、前記第１記憶領域中の複数位置の各々から読み出し可能に設けてあるので、第２のデータを第２記憶領域に書き込んでおいて、その第２記憶領域から読み出した第２のデータを第１のデータの途中に挿入できる。
請求項１０記載の情報供給システムは、前記第１記憶領域と前記第２記憶領域との双方を、一つの入力部に入力されたデータを書き込み可能で書換え可能な共通の記憶領域中に設けてあるので、第１記憶領域と第２記憶領域とを、各別の入力部に入力されたデータを書き込み可能で書換え可能な各別の記憶領域で構成する場合に比べて、第２記憶領域から読み出した第２のデータを第１のデータの途中に挿入するタイミングを設定し易い。
請求項１１記載の情報供給システムは、前記第１のデータの前記第１記憶領域からの読出動作を、前記複数位置の各々から読み出している第１のデータ毎に指定された位置において中断して、前記第２のデータの前記第２記憶領域からの読出動作を開始し、前記第２のデータの前記第２記憶領域からの読出動作を停止して、前記第１のデータの前記第１記憶領域からの読出動作を再開することにより、前記第１のデータを、その第１のデータの途中に前記第２記憶領域から読み出した第２のデータが挿入されるように、前記第１記憶領域中の複数位置の各々から読み出し可能に設けてあるので、第２のデータの読み出し中は第１のデータの読出動作を中断しておくことができ、第２のデータの読出所要時間が任意に設定されていても、その第２のデータの読出動作を停止すると、第１のデータの続きをタイミング良く読み出すことができる。
請求項１２記載の情報供給システムは、前記第１のデータの前記第１記憶領域からの読出動作を、前記複数位置の各々から読み出している第１のデータ毎に指定された位置において中断して、前記第１のデータを、その第１のデータの途中に第２のデータが挿入されるように、前記第１記憶領域中の複数位置の各々から読み出し可能に設けてあるので、第２のデータの挿入中は第１のデータの読出動作を中断しておくことができ、第２のデータの挿入所要時間が任意に設定されていても、その第２のデータを挿入した後、第１のデータの続きをタイミング良く読み出すことができる。
請求項１３記載の情報供給システムは、前記第１のデータを、その第１のデータの途中に第２のデータが端末からの要求に応じて挿入されるように、前記第１記憶領域中の複数位置の各々から読み出し可能に設けてあるので、第１のデータの途中に第２のデータを端末からの要求に応じて挿入できる。
請求項１４記載の情報供給システムは、前記第１のデータを、その第１のデータの途中に第２のデータが端末からの要求に応じた量で挿入されるように、前記第１記憶領域中の複数位置の各々から読み出し可能に設けてあるので、第１のデータの途中に第２のデータを端末からの要求に応じた量で挿入できる。
請求項１５記載の情報読出装置は、一つの入力部に入力されたデータを書き込み可能で書換え可能な第１記憶領域を設け、一連に再生可能な第１のデータを前記一つの入力部に入力して前記第１記憶領域に書き加えながら、その第１記憶領域に書き込まれている第１のデータを、その第１のデータの途中に第２のデータが挿入されるように、前記第１記憶領域中の複数位置の各々から読み出し可能に設けてあるので、第１記憶領域に記憶されていない第１のデータでも、その第１のデータの全部を第１記憶領域に書き込み終えるまで待つことなく、第１記憶領域にその第１のデータを書き加えながら、その第１記憶領域に書き込まれている第１のデータを、その第１のデータの途中に第２のデータが挿入されるように、第１記憶領域中の複数位置の各々から読み出すことができるとともに、その第１記憶領域に別の第１のデータが既に書き込まれている場合は、既に書き込まれている別の第１のデータを書き換えながら、読出位置が異なる複数の第１のデータをその第１記憶領域から読み出すことができる。
従って、第１記憶領域に記憶されていない第１のデータでも、第１記憶領域にその第１のデータを書き加えながら、その第１記憶領域に書き込まれている第１のデータを、その第１のデータの途中に第２のデータが挿入されるように、第１記憶領域中の複数位置の各々から読み出すことができ、しかも、第１のデータ全部を第１記憶領域に予め書き込んでおくことを要しないので、第１記憶領域に記憶される第１のデータの管理を煩雑化することなく、記憶手段の有効活用を図ることができる。
請求項１６記載の情報読出装置は、前記第２のデータを書き込み可能な第２記憶領域を設け、前記第１のデータを、その第１のデータの途中に前記第２記憶領域から読み出した第２のデータが挿入されるように、前記第１記憶領域中の複数位置の各々から読み出し可能に設けてあるので、第２のデータを第２記憶領域に書き込んでおいて、その第２記憶領域から読み出した第２のデータを第１のデータの途中に挿入できる。
請求項１７記載の情報読出装置は、前記第１記憶領域と前記第２記憶領域との双方を、一つの入力部に入力されたデータを書き込み可能で書換え可能な共通の記憶領域中に設けてあるので、第１記憶領域と第２記憶領域とを、各別の入力部に入力されたデータを書き込み可能で書換え可能な各別の記憶領域で構成する場合に比べて、第２記憶領域から読み出した第２のデータを第１のデータの途中に挿入するタイミングを設定し易い。
請求項１８記載の情報読出装置は、前記第１のデータの前記第１記憶領域からの読出動作を、前記複数位置の各々から読み出している第１のデータ毎に指定された位置において中断して、前記第２のデータの前記第２記憶領域からの読出動作を開始し、前記第２のデータの前記第２記憶領域からの読出動作を停止して、前記第１のデータの前記第１記憶領域からの読出動作を再開することにより、前記第１のデータを、その第１のデータの途中に前記第２記憶領域から読み出した第２のデータが挿入されるように、前記第１記憶領域中の複数位置の各々から読み出し可能に設けてあるので、第２のデータの読み出し中は第１のデータの読出動作を中断しておくことができ、第２のデータの読出所要時間が任意に設定されていても、その第２のデータの読出動作を停止すると、第１のデータの続きをタイミング良く読み出すことができる。
請求項１９記載の情報読出装置は、前記第１のデータの前記第１記憶領域からの読出動作を、前記複数位置の各々から読み出している第１のデータ毎に指定された位置において中断して、前記第１のデータを、その第１のデータの途中に第２のデータが挿入されるように、前記第１記憶領域中の複数位置の各々から読み出し可能に設けてあるので、第２のデータの挿入中は第１のデータの読出動作を中断しておくことができ、第２のデータの挿入所要時間が任意に設定されていても、その第２のデータを挿入した後、第１のデータの続きをタイミング良く読み出すことができる。
請求項２０記載の情報読出装置は、前記第１のデータを、その第１のデータの途中に第２のデータが端末からの要求に応じて挿入されるように、前記第１記憶領域中の複数位置の各々から読み出し可能に設けてあるので、第１のデータの途中に第２のデータを端末からの要求に応じて挿入できる。
請求項２１記載の情報読出装置は、前記第１のデータを、その第１のデータの途中に第２のデータが端末からの要求に応じた量で挿入されるように、前記第１記憶領域中の複数位置の各々から読み出し可能に設けてあるので、第１のデータの途中に第２のデータを端末からの要求に応じた量で挿入できる。
【０００５】
【発明の実施の形態】
〔第１実施形態〕
図１は、いわゆるオン・ディマンド・サービス方式により、第１のデータの一例としてのビデオ映像等の音声を含む映像データVA（以下、番組映像データという）を、複数の端末としての端末装置Ｅからの送信要求に応じて送信し、その番組映像データVAの端末装置Ｅへの送信を中断して、第２のデータの一例としての広告宣伝用映像等の音声を含む映像データVB（以下、広告映像データという）をその端末装置Ｅへ送信するように制御する情報供給方法及び情報供給システムのブロック図を示し、種々の番組映像データVAと種々の広告映像データVBとを送出映像データVCとして送出する情報送出装置Ａと、その情報送出装置Ａから送出された番組映像データVAと広告映像データVBとを一連の送信映像データVEとして送信要求に応じて複数の端末装置Ｅに送信する情報供給装置Ｂとを備えたセンタ装置Ｃが、Ｂ−ＩＳＤＮのようなデジタル交換回線網Ｆを介して多数の端末装置Ｅと双方向に通信可能に設けられている。
【０００６】
前記端末装置Ｅの各々は、情報供給装置Ｂから送信されてきた送信映像データVEをディスプレイに再生する情報再生手段を備え、送信要求としての要求する番組映像データVAのタイトルと広告映像データVBの送信量とを指定する送信要求データDAと送信映像データVEの受信が終了したことを示す受信終了データDBとをその端末装置Ｅの識別データとともに必要に応じてセンタ装置Ｃに送信できるように設けられている。
前記広告映像データVBの送信量は、広告映像データVBの送信を要求しない要求レベル０から送信量が最も多い要求レベル４までの５段階の要求レベル０〜４のうちから選択して指定するように構成されている。
【０００７】
前記情報供給装置Ｂには、番組映像データVAと広告映像データVBとを複数の端末装置Ｅからの送信要求データDAに応じて読出位置が異なる複数の一連の読出映像データVDn(ｎ＝１〜６３、以下同じ) として読み出す情報読出装置B3の複数と、情報読出装置B3の各々で読み出した読出映像データVDn が所定の端末装置Ｅに送信されるように制御する通信制御装置B4と、各情報読出装置B3と通信制御装置B4の作動を制御する供給制御部B1とが設けられ、供給制御部B1には、端末装置Ｅ毎の作動データと情報読出装置B3毎の作動データを記憶する供給用データ記憶部B2が設けられている。
【０００８】
前記供給制御部B1は、供給用データ記憶部B2に記憶されている作動データに基づいて、送信要求データDAに応じた送信映像データVEが端末装置Ｅに送信されるように、各情報読出装置B3の作動を制御する読出制御データDF,DGn,DJnを出力するとともに、情報読出装置B3の各々で読み出した読出映像データVDn をシリアルのデジタル映像信号に変換して、送信映像データVEとして送信要求データDAに応じて複数の端末装置Ｅに送信するように通信制御装置B4の作動を制御する通信制御データDL1,DL2 を出力するように構成されている。
【０００９】
前記情報読出装置B3の各々には、供給制御部B1から入力される読出制御データDF,DGn,DJnを記憶する読出制御データ記憶部1aが備えられている読出制御部１と、情報送出装置Ａから送出された送出映像データVCとしての番組映像データVAと広告映像データVBの各々を一連に記憶する記憶手段としての書換え可能な情報蓄積メモリ（半導体メモリ）２と、読出制御部１から入力されるメモリ制御データに基づいて、その情報蓄積メモリ２に記憶されている番組映像データVAと広告映像データVBが複数の端末装置Ｅからの送信要求データDAに応じて読出位置が異なる複数の一連の読出映像データVDn として時分割で読み出されるように制御するワイヤードロジック回路で構成したメモリ制御回路４とが設けられ、これらの情報読出装置B3が情報蓄積メモリ２から番組映像データVAと広告映像データVBを読み出す読出手段に構成されている。
【００１０】
そして、供給制御部B1は、いずれの情報読出装置B3の情報蓄積メモリ２にも書き込まれていない番組映像データVAについての送信要求データDAが端末装置Ｅから入力されると、書込動作も読出動作も実行していない待機中の情報読出装置B3の情報蓄積メモリ２にその送信要求データDAに応じた番組映像データVAを書き込みながら、その番組映像データVAと既に書込済みの広告映像データVBとを送信要求データDAに応じて読出位置が異なる複数の一連の読出映像データVDn としてその情報蓄積メモリ２から時分割で読み出して、それらの読出映像データVDn を送信映像データVEとして、複数の端末装置Ｅからの送信要求データDAに応じて送信されるように、各情報読出装置B3と通信制御装置B4の作動を制御するように構成されている。
【００１１】
前記読出制御部１は、番組映像データVAや広告映像データVBを情報蓄積メモリ２に書き込む際には、その番組映像データVAや広告映像データVBの送出を要求する送出要求データDEをその情報読出装置B3の識別データとともに情報送出装置Ａに送信して、情報送出装置Ａから送出映像データVCとして送出される番組映像データVAや広告映像データVBが情報蓄積メモリ２に書き込まれるようにメモリ制御回路４を作動させ、メモリ制御回路４は、番組映像データVAを情報蓄積メモリ２に書き込むときには、その番組映像データVAを情報蓄積メモリ２に書き込みみながら、その情報蓄積メモリ２に書き込まれている番組映像データVAとその情報蓄積メモリ２に予め書き込まれている広告映像データVBを複数の端末装置Ｅからの送信要求データDAに応じて読出位置が異なる複数の一連の読出映像データVDn として時分割で読み出すように作動するように構成されている。
【００１２】
前記情報送出装置Ａには、種々の番組映像データVAを一連に出力する多数の番組情報出力装置A6,A7 と種々の広告映像データVBを一連に出力する多数の広告情報出力装置A8とを備えた情報源A3と、情報源A3から出力された番組映像データVAと広告映像データVBが送出要求データDEに対応する所定の情報読出装置B3に送出されるようにデジタル通信回線を接続する回線制御装置A4と、各情報読出装置B3の読出制御部１から送信される送出要求データDEと書込終了データDKに基づいて、各情報出力装置A6,A7,A8と回線制御装置A4の作動を制御する送出制御部A1とが設けられ、送出制御部A1には、情報読出装置B3毎の作動データと各情報出力装置A6,A7,A8毎の作動データを記憶する送出用データ記憶部A2が設けられている。
【００１３】
前記番組情報出力装置A6,A7 としては、光ディスクに記録されている種々の番組映像データVAを読み出してシリアルのデジタル映像信号で出力する光ディスク装置等の再生番組情報出力装置A7と、放送局等の番組制作局A5からリアルタイムで送信されてくるスポーツ実況映像やコンサート実況映像，ニュース映像等のリアルタイムで発生する番組映像データVAをシリアルのデジタル映像信号で出力するリアルタイム番組情報出力装置A6とが設けられ、広告情報出力装置A8は、光ディスク等に記録されている種々の広告映像データVBを読み出してシリアルのデジタル映像信号で出力するように構成されている。
尚、広告情報出力装置A8は、広告制作局から送信されてくる広告映像データVBを光ディスク等に書き込んで、その書き込んだ広告映像データVBを読み出してシリアルのデジタル映像信号で出力するように構成されていても良い。
【００１４】
前記情報出力装置A6,A7 から出力される番組映像データVAには、情報蓄積メモリ２からの読み出し動作を停止させる複数の読出停止位置が映像場面が変化する箇所に対応させて設定されており、図２（ａ）に示すように、情報蓄積メモリ２からの読み出し動作にともなってそれらの読出停止位置に対応して読み出される読出停止位置データSEが予め組み込まれ、番組映像データVAの頭部には番組開始データSAが、また、末尾には番組終了データSBが夫々組み込まれている。
また、前記広告情報出力装置A8から出力される広告映像データVBには、端末Ｅへの送信を停止させる複数の送信停止位置が広告内容が変化する箇所に対応させて設定されており、図２（ｂ）に示すように、情報蓄積メモリ２からの読み出し動作にともなってそれらの送信停止位置に対応して読み出される送信停止位置データSFが予め組み込まれ、広告映像データVBの末尾には広告終了データS0が予め組み込まれている。
【００１５】
そして、端末Ｅで指定された要求レベル０〜４に応じた送信量の広告映像データVBを送信できるように、読出停止位置データSEとしては、番組映像データVAの一つ置きの読出停止位置において読み出される二種類の読出位置データS1,S2 と、番組映像データVAの全ての読出停止位置において読み出される二種類の読出位置データS3,S4 とが組み込まれ、送信停止位置データSFとしては、広告映像データVBの一つ置きの送信停止位置において読み出される読出位置データS2,S4 と、広告映像データVBの全ての送信停止位置において読み出される読出位置データS1,S3 とが組み込まれている。
【００１６】
図３は、情報読出装置B3に設けた読出制御部１とメモリ制御回路４と情報蓄積メモリ２との詳細なブロック図を示し、メモリ制御回路４には、情報蓄積メモリ２のアドレスデータAMA,AMB が書換え可能に書き込まれるアドレス制御メモリ（半導体メモリ）３と、アドレス制御メモリ３の制御アドレスデータACを出力するカウンタ６と、アドレス制御メモリ３から読み出される読出用のアドレスデータAMARを番組映像データVAの読出用アドレスと広告映像データVBの読出用アドレスとに切り換えるスイッチ回路１５と、送出映像データVCをパラレルのデジタル映像信号に変換して出力するシリアル・パラレル変換回路５とが主要部として備えられ、読出制御部１には、メモリ制御回路４の作動を制御するマイクロプロセッサー等が備えられ、シリアル・パラレル変換回路５から出力される送出映像データVCが情報蓄積メモリ２に書き込まれるように構成されている。
前記情報蓄積メモリ２には、番組映像データVAが一連に記憶されるMA0 番地からMAE 番地までの番組映像データ記憶領域ARA と、広告映像データVBが一連に記憶されるMB0 番地からMBE 番地までの広告映像データ記憶領域ARB とが設けられ、情報送出装置Ａから送出される所定の広告映像データVBを予め広告映像データ記憶領域ARB のMB0 番地から一連に記憶させておいて、番組映像データVAを必要に応じて番組映像データ記憶領域ARA のMA0 番地から一連に書き込みながら、その番組映像データ記憶領域ARA と広告映像データ記憶領域ARB から番組映像データVAと広告映像データVBを読み出して、要求レベル０〜４に応じた送信量の広告映像データVBが番組映像データVAの途中に挿入されている複数の一連の読出映像データVDn を時分割で読み出せるように構成されている。
【００１７】
次に、前記情報読出装置B3の作動を、図４に示すタイムチャートを参照しながら説明する。
前記カウンタ６は、例えば「０」から最大値「６３」までカウントアップした後にその出力が「０」に戻って再びカウントアップする６ビットのシフトレジスタを設けて構成され、アドレス制御メモリ３に対して「０」から「６３」までのエンドレスに循環する制御アドレスデータACを出力する。
【００１８】
第１比較器７は、読出制御部１から出力されるコマンドアドレスデータACM とカウンタ６から出力される制御アドレスデータACとを比較して、一致したときは「０」を出力する。
そして、第１マルチプレクサ８は、第１比較器７から「０」が出力されると、読出制御部１からＡ端子に入力されている第１コマンドデータDMA をアドレス制御メモリ３の第１データ入力端子DINAに入力し、第１比較器７から「０」が出力されない場合は、Ｂ端子に入力されている第１アドレスデータAMA を第１データ入力端子DINAに入力する。
また、第２マルチプレクサ９は、第１比較器７から「０」が出力されると、読出制御部１からＡ端子に入力されている第２コマンドデータDMB をアドレス制御メモリ３の第２データ入力端子DINBに入力し、第１比較器７から「０」が出力されない場合は、Ｂ端子に入力されている第２アドレスデータAMB を第２データ入力端子DINBに入力する。
【００１９】
前記アドレス制御メモリ３は、０番地から６３番地のアドレスの各々に、要求レベル０〜４に対応する広告量データCM(CM0,CM1,CM2,CM3,CM4）が書き込まれる広告量データメモリ3Aと、増加データINC が書き込まれる増加データメモリ3Bと、第１アドレスデータAMA が書き込まれる第１アドレスデータメモリ3Cと、第２アドレスデータAMB が書き込まれる第２アドレスデータメモリ3Dとを備え、０番地の第１アドレスデータメモリ3Cには情報蓄積メモリ２への書込用の第１アドレスデータAMA(AMA0) が書き込まれ、ｎ番地（ｎ＝１〜６３、以下同じ）の第１アドレスデータメモリ3Cには情報蓄積メモリ２からの読出用の第１アドレスデータAMA(AMAn：ｎ＝１〜６３、以下同じ) が書き込まれ、ｎ番地の第２アドレスデータメモリ3Dには、情報蓄積メモリ２から読み出されるデータを番組映像データVAと広告映像データVBとに切り換えるための第２アドレスデータAMB(AMBn：ｎ＝１〜６３、以下同じ) が書き込まれるように設けられている。
前記広告量データCMとしては、要求レベル０のときは、広告終了データS0及び読出位置データS1〜S4のいずれとも異なる広告量データCM0 を書き込み、要求レベル１のときは読出位置データS1と同じ広告量データCM1 を書き込み、要求レベル２のときは読出位置データS2と同じ広告量データCM2 を書き込み、要求レベル３のときは読出位置データS3と同じ広告量データCM3 を書き込み、要求レベル４のときは読出位置データS4と同じ広告量データCM4 を書き込むように構成されている。
【００２０】
そして、発振器１０から出力されるクロックCKをカウンタ６で分周したライトイネーブル信号WEC バーがアドレス制御メモリ３のライトイネーブル入力端子WEバーに入力され、このライトイネーブル信号WEC バーの立ち上がりで順次カウントアップされるカウンタ６の出力が制御アドレスデータACとしてアドレス制御メモリ３のアドレス入力端子ADD に入力され、カウンタ６がアドレス制御メモリ３に対して一つの制御アドレスデータACを出力している期間をタイムスロットとして、このタイムスロット毎に、第１アドレスデータAMA と第２アドレスデータAMB のアドレス制御メモリ３に対する読み出しと書き込みが繰り返される。
【００２１】
以下、カウンタ６が０番地の制御アドレスデータAC、つまり、「０」を出力していて、書込用の第１アドレスデータAMA0の読み出しと書き込みが行われる期間を書込タイムスロット０といい、カウンタ６がｎ番地の制御アドレスデータAC、つまり、「ｎ」（ｎ＝１〜６３、以下同じ）を出力していて、読出用の第１アドレスデータAMAnと第２アドレスデータAMBnの読み出しと書き込みが行われる期間を読出タイムスロットｎ（ｎ＝１〜６３、以下同じ）という。
【００２２】
そして、書込タイムスロット０又は読出タイムスロットｎの始まりで入力された制御アドレスデータACに基づいて、広告量データCMと増加データINC と第１アドレスデータAMA と第２アドレスデータAMB とがアドレス制御メモリ３から読み出され、第１アドレスデータメモリ3Cから読み出した第１アドレスデータAMA(以下、読出第１アドレスデータAMARという) と増加データINC とが加算器１１に入力されて、その加算結果がラッチ回路１２にラッチされ、情報蓄積メモリ２の書込用のアドレスデータAM(AM0) 又は読出用のアドレスデータAM(AMn：ｎ＝１〜６３、以下同じ) としてそのアドレス入力端子ADD に入力されるとともに、第３マルチプレクサ１３のＢ端子と読出制御部１に入力され、第２アドレスデータメモリ3Dから読み出した第２アドレスデータAMB(以下、読出第２アドレスデータAMBRという) はスイッチ回路１５のＢ入力端子DINBに入力され、広告量データCMは後述する第３比較器１６に入力される。
【００２３】
前記第３マルチプレクサ１３は、後述する第２比較器１４から入力される制御信号CS1 が「０」のときは、読出制御部１からＡ端子に入力されている広告映像データ記憶領域ARB の（MB0 −１）番地を示す更新アドレスデータMBK をスイッチ回路１５のＡ入力端子DINAに入力し、制御信号CS1 が「０」でないときは、そのＢ端子に入力されたアドレスデータAM(AM0,AMn) をスイッチ回路１５のＡ入力端子DINAに入力する。
前記スイッチ回路１５は、第３比較器１６から入力される制御信号CS2 が「０」のときは、Ｂ入力端子DINBに入力された読出第２アドレスデータAMBRを第１アドレスデータAMA としてＡ出力端子DOA から第１マルチプレクサ８のＢ端子に入力するとともに、Ａ入力端子DINAに入力されたアドレスデータAM(AM0,AMn) を第２アドレスデータAMB としてＢ出力端子DOB から第２マルチプレクサ９のＢ端子に入力し、制御信号CS2 が「０」でないときは、Ａ入力端子DINAに入力されたアドレスデータAM(AM0,AMn) 又は更新アドレスデータMBK を第１アドレスデータAMA としてＡ出力端子DOA から第１マルチプレクサ８のＢ端子に入力するとともに、Ｂ入力端子DINBに入力された読出第２アドレスデータAMBRを第２アドレスデータAMB としてＢ出力端子DOB から第２マルチプレクサ９のＢ端子に入力するように構成されている。
そして、第１比較器７から「０」が出力されていない場合に、第１マルチプレクサ８のＢ端子に入力された第１アドレスデータAMA がアドレス制御メモリ３の第１データ入力端子DINAに入力されるとともに、第２マルチプレクサ９のＢ端子に入力された第２アドレスデータAMB がアドレス制御メモリ３の第２データ入力端子DINBに入力され、書込タイムスロット０又は読出タイムスロットｎの後半の書込み期間において、読出時と同じ番地の第１アドレスデータメモリ3Cと第２アドレスデータメモリ3Dに夫々書き込まれる。
【００２４】
従って、増加データINC が「１」に設定されているときは、書込タイムスロット０又は読出タイムスロットｎの始まりで読み出した読出第１アドレスデータAMARに増加データINC の「１」を加算したアドレスデータAM(AM0,AMn) がラッチ回路１２から出力されるので、制御信号CS1 及び制御信号CS2 が共に「０」でないときは、制御アドレスデータACが「０」から「６３」を一巡する毎に、書込タイムスロット０又は読出タイムスロットｎに対応する情報蓄積メモリ２のアドレスデータAM(AM0,AMn) が「１」ずつ増加するが、第２アドレスデータAMB は変化せず、増加データINC が「０」に設定されているときは、書込タイムスロット０又は読出タイムスロットｎの始まりで読み出した読出第１アドレスデータAMARと同じ値のアドレスデータAM(AM0,AMn) がラッチ回路１２から出力されるので、アドレスデータAM(AM0,AMn) も第２アドレスデータAMB も変化しない。
【００２５】
前記第２比較器１４は、各読出タイムスロットｎにおいて、広告映像データVBに組み込まれている広告終了データS0が読み出されると、制御信号CS1 として「０」を出力するように構成されている。
従って、広告映像データVBを読み出している読出タイムスロットｎにおいて、一連の広告映像データVBの読み出しが終了すると、広告映像データ記憶領域ARB の（MB0 −１）番地を示す更新アドレスデータMBK がスイッチ回路１５のＡ入力端子DINAに入力されて、第１アドレスデータAMA として第１アドレスデータメモリ3Cに書き込まれるので、広告映像データVBの読み出しアドレスデータAMn がMB0 番地に戻って、広告映像データVBの読み出しが繰り返される。
【００２６】
前記第３比較器１６は、各読出タイムスロットｎにおいて、広告量データメモリ3Aから読み出された広告量データCM(CM0,CM1,CM2,CM3,CM4）と同じ読出停止位置データSE(S1,S2,S3,S4) 又は送信停止位置データSF(S1,S2,S3,S4) が番組映像データVA又は広告映像データVBから読み出されると、制御信号CS2 として「０」を出力するように構成されている。
従って、番組映像データVAを書き込む書込タイムスロット０においては読出停止位置データSEも送信停止位置データSFも読み出されないので、番組映像データVAがMA0 番地から順に書き込まれ、番組映像データVAを読み出す読出タイムスロットｎにおいては、広告量データCMに応じて番組映像データVAと広告映像データVBとが交互に読み出される。
【００２７】
そして、番組映像データVAを読み出している読出タイムスロットｎにおいて、広告量データメモリ3Aに広告量データCM0 が書き込まれている場合は、番組映像データVAにはその広告量データCM0 と同じ読出停止位置データSEは組み込まれておらず、番組映像データVAのいずれの読出停止位置においても「０」の制御信号CS2 がスイッチ回路１５に入力されないので、広告映像データVBを読み出す為の読出第２アドレスデータAMBRの第１アドレスデータメモリ3Cへの書き込みが行われず、番組映像データVAの読み出しは中断されない。
【００２８】
前記第３比較器１６は、広告量データメモリ3Aに広告量データCM1 が書き込まれている場合は、番組映像データVAの一つ置きの読出停止位置と広告映像データVBの全ての送信停止位置において「０」の制御信号CS2 を出力し、広告量データCM2 が書き込まれている場合は、番組映像データVAの一つ置きの読出停止位置と広告映像データVBの一つ置きの送信停止位置において「０」の制御信号CS2 を出力し、広告量データCM3 が書き込まれている場合は、番組映像データVAの全ての読出停止位置と広告映像データVBの全ての送信停止位置において「０」の制御信号CS2 を出力し、広告量データCM4 が書き込まれている場合は、番組映像データVAの全ての読出停止位置と広告映像データVBの一つ置きの送信停止位置において「０」の制御信号CS2 を出力する。
そして、番組映像データVAを読み出している読出タイムスロットｎにおいて、第２アドレスデータメモリ3Dには広告映像データVBの読出用のアドレスデータが第２アドレスデータAMB として書き込まれており、番組映像データVAに組み込まれている読出停止位置データSE(S1,S2,S3,S4) を読み出して「０」の制御信号CS2 がスイッチ回路１５に入力されると、第２アドレスデータメモリ3Dから読み出した読出第２アドレスデータAMBRが広告映像データVBの読出用の第１アドレスデータAMA として第１アドレスデータメモリ3Cに書き込まれるとともに、番組映像データVAの読出用のアドレスデータAMn が第２アドレスデータAMB として第２アドレスデータメモリ3Dに書き込まれる。
また、広告映像データVBを読み出している読出タイムスロットｎにおいて、第２アドレスデータメモリ3Dには番組映像データVAの読出用のアドレスデータが第２アドレスデータAMB として書き込まれており、広告映像データVBに書き込まれている送信停止位置データSF(S1,S2,S3,S4) を読み出して「０」の制御信号CS2 がスイッチ回路１５に入力されると、第２アドレスデータメモリ3Dから読み出した読出第２アドレスデータAMBRが番組映像データVAの読出用の第１アドレスデータAMA として第１アドレスデータメモリ3Cに書き込まれるとともに、広告映像データVBの読出用のアドレスデータAMn が第２アドレスデータAMB として第２アドレスデータメモリ3Dに書き込まれる。
【００２９】
従って、広告量データメモリ3Aに広告量データCM1,CM2 が書き込まれている場合は、番組映像データVAの一つ置きの読出停止位置においてその読み出しが停止されて広告映像データVBの読み出しが開始され、かつ、広告量データCM1 の場合は、広告映像データVBの全ての送信停止位置においてその読み出しが停止されて番組映像データVAの読み出しが再開され、広告量データCM2 の場合は、広告映像データVBの一つ置きの送信停止位置においてその読み出しが停止されて番組映像データVAの読み出しが再開される。
また、広告量データメモリ3Aに広告量データCM3,CM4 が書き込まれている場合は、番組映像データVAの全ての読出停止位置においてその読み出しが停止されて広告映像データVBの読み出しが開始され、広告量データCM3 の場合は、広告映像データVBの全ての送信停止位置においてその読み出しが停止されて番組映像データVAの読み出しが再開され、広告量データCM4 の場合は、広告映像データVBの一つ置きの送信停止位置においてその読み出しが停止されて番組映像データVAの読み出しが再開される。
【００３０】
前記シリアル・パラレル変換回路５は、情報送出装置Ａから送出される送出映像データVCを読出制御部１から入力されるライトクロック信号CKW に同期して順次取り込むシフトレジスタ5Aと、シフトレジスタ5Aからパラレルに入力される送出映像データVCを第４比較器１７から出力されるライトロード信号WLの立ち下がりでラッチして情報蓄積メモリ２のデータ入力端子DIN に入力するライトラッチ回路5Bとを備えている。
【００３１】
前記第４比較器１７は、読出制御部１から出力される「０」の比較データとカウンタ６から出力される制御アドレスデータACとを比較して、制御アドレスデータACとして「０」が出力されている間、つまり、書込タイムスロット０の期間において「０」のライトロード信号WLを出力する。
そして、第４比較器１７から「０」のライトロード信号WLが出力されている期間において、アドレス制御メモリ３に対して「０」のライトイネーブル信号WEC バーが出力されると、ゲート回路１８は情報蓄積メモリ２に対して「０」のライトイネーブル信号WEM バーを出力し、データ入力端子DIN に入力されている送出映像データVCは、書込タイムスロット０の後半において、情報蓄積メモリ２の書込用のアドレスデータAM0 で指定された位置に書き込まれる。
【００３２】
従って、書込タイムスロット０において送出映像データVCとしての番組映像データVAを番組映像データ記憶領域ARA に書き込みながら、各読出タイムスロットｎにおいて読出位置が異なる番組映像データVA又は広告映像データVBを読み出す場合は、増加データメモリ3Bの内容を「１」とし、かつ、第１アドレスデータメモリ3Cの内容を「MA0 −１」とする第１コマンドデータDMA を出力しながら、「０」のコマンドアドレスデータACM を出力することにより、制御アドレスデータACが「０」から「６３」を一巡する間に、０番地の増加データメモリ3Bに「１」が、また、第１アドレスデータメモリ3Cに「MA0 −１」が各々書き込まれ、次に、「０」以外のコマンドアドレスデータACM を出力すると、番組映像データVAが書込タイムスロット０の期間において番組映像データ記憶領域ARA のMA0 番地から順に書き込まれる。
【００３３】
前記広告映像データVBは、番組映像データVAの書き込みに先立って、広告映像データ記憶領域ARB に予め一連に書き込んでおくもので、全てのタイムスロットにおいて「０」の制御アドレスデータACが出力されるように、カウンタ６に対するリセット信号RSバーを「０」に保持してそのカウンタ６をリセット状態に維持し、増加データメモリ3Bの内容を「１」とし、かつ、第１アドレスデータメモリ3Cの内容を「MB0 −１」とする第１コマンドデータDMA を出力しながら、「０」のコマンドアドレスデータACM を出力することにより、０番地の増加データメモリ3Bに「１」が、また、第１アドレスデータメモリ3Cに「MB0 −１」が夫々書き込まれ、次に、リセット信号RSバーを「０」に保持したままで「０」以外のコマンドアドレスデータACM を出力すると、広告映像データVBが、各タイムスロットにおいて広告映像データ記憶領域ARB のMB0 番地から順に書き込まれる。
【００３４】
また、情報蓄積メモリ２に書き込まれている番組映像データVAを読出タイムスロットｎの期間においてMA0 番地から順に読み出したい場合は、広告量データメモリ3Aの内容を要求レベル０〜４に対応する広告量データCM（CM0,CM1,CM2,CM3,CM4 ）とし、増加データメモリ3Bの内容を「１」とし、第１アドレスデータメモリ3Cの内容を「MA0 −１」とする第１コマンドデータDMA と、第２アドレスデータメモリ3Dの内容を「MB0 −１」とする第２コマンドデータDMB とを出力しながら、「ｎ」のコマンドアドレスデータACM を出力することにより、制御アドレスデータACが「０」から「６３」を一巡する間に、ｎ番地の広告量データメモリ3Aに広告量データCMが、増加データメモリ3Bに「１」が、第１アドレスデータメモリ3Cに「MA0 −１」が、第２アドレスデータメモリ3Dに「MB0 −１」が夫々書き込まれ、次に、「ｎ」以外のコマンドアドレスデータACM を出力すると、読出タイムスロットｎの期間において番組映像データVAが読出映像データVDn として情報蓄積メモリ２のMA0 番地から順に読み出され、広告量データCMに対応して番組映像データVAの読み出しが停止されると、広告映像データVBが読出映像データVDn として情報蓄積メモリ２のMB0 番地から順に読み出され、広告量データCMに対応して広告映像データVBの読み出しが停止されると、読出映像データVDn としての番組映像データVAの読み出しが再開される。
【００３５】
従って、番組映像データVAの読出停止位置と広告映像データVBの送信停止位置とを、端末装置Ｅからの広告映像データVBの送信量を指定する送信要求データDAに応じて選択するように構成され、アドレス制御メモリ３とスイッチ回路１５とが、情報読出装置B3による情報蓄積メモリ２からの読出アドレスAMn を指定するアドレス指定手段に構成され、メモリ制御回路４が、情報読出装置B3が複数の読出停止位置のうちの選択された読出停止位置に対応する読出停止位置データSEを読み出すと、広告映像データVBの読出アドレスAMn を指定して、番組映像データVAの読み出しを停止するとともに広告映像データVBの読み出しを開始し、情報読出装置B3が複数の送信停止位置のうちの選択された送信停止位置に対応する送信停止位置データSFを読み出すと、番組映像データVAの読出アドレスAMn を指定して、広告映像データVBの読み出しを停止するとともに番組映像データVAの読み出しを再開するように情報読出装置B3の作動を制御する読出用の制御手段に構成されている。
また、情報蓄積メモリ２が、書込用のアドレスデータAM0 で指定される位置に番組映像データVAを書き込み可能、かつ、読出用のアドレスデータAMn で指定される位置から番組映像データVAと広告映像データVBとを一連の読出映像データVDn として読み出し可能に設けられ、情報読出装置B3は、書込用のアドレスデータAM0 と複数の読出用のアドレスデータAMn とを時分割で指定して、端末装置Ｅからの送信要求DAに応じた番組映像データVAを必要に応じて情報蓄積メモリ２に書き込みながら、その情報蓄積メモリ２に記憶されている番組映像データVAと広告映像データVBを，複数の端末装置Ｅからの送信要求DAに応じて各読出タイムスロットｎ毎に読出位置が異なる複数の一連の読出映像データVDn として時分割で読み出し可能に設けられている。
【００３６】
前記供給制御部B1による制御動作を、図６〜図８のフローチャートを参照しながら説明する。
前記供給用データ記憶部B2は、端末装置Ｅ毎の作動データとして「情報供給開始処理」が終了していない未処理の送信要求データDAと「情報供給終了処理」が終了していない未処理の受信終了データDBを記憶し、情報読出装置B3毎の作動データとして、情報蓄積メモリ２に現在書き込まれている番組映像データVA及び広告映像データVBのタイトルと、読出映像データVDn を読出中の読出タイムスロットｎと、その読出映像データVDn を受信している端末装置Ｅとを記憶するように構成されている。
【００３７】
そして、図６のフローチャートに示すように、起動電源を入力してから最初の送信要求データFDA が端末装置Ｅから入力されると制御動作を開始し(#1)、供給用データ記憶部B2に記憶されている未処理の送信要求データDAと未処理の受信終了データDBを処理対象データとして読み出す(#2)。
次に、処理対象データ中の未処理の送信要求データDAの有無を判別して(#3)、有りの場合は、送信を要求する情報のタイトルが同じ送信要求データDA毎に、その送信要求データDAを入力した端末装置Ｅに要求されている番組映像データVAを同報送信する「情報供給開始処理」を実行し(#4)、無しの場合又は処理対象データ中の未処理の送信要求データDAが無くなった場合は、処理対象データ中の未処理の受信終了データDBの有無を判別して(#5)、有りの場合はその受信終了データDB毎に「情報供給終了処理」を実行し(#6)、無しの場合又は処理対象データ中の未処理の受信終了データDBが無くなった場合は、新たに供給用データ記憶部B2に記憶された処理対象データについて、ステップ#2〜#6の制御動作を繰り返す。
【００３８】
前記「情報供給開始処理」では、図７のフローチャートに示すように、要求されているタイトルの番組映像データVAが書き込まれている情報読出装置B3の有無を判別し(#21) 、その番組映像データVAが書き込まれている情報読出装置B3が有る場合は、その情報読出装置B3の読出タイムスロットｎのうちに使用されていない空タイムスロットが残っている情報読出装置B3の有無を判別し(#22) 、空タイムスロットの残っている情報読出装置B3が有る場合は、空タイムスロットの一つを要求されている番組映像データVAの読出タイムスロットｎとして、その読出タイムスロットｎで読み出された読出映像データVDn をその送信要求データDAを入力した端末装置Ｅに同報送信するための回線接続データDL1 を通信制御データとして通信制御装置B4に入力し(#23) 、その読出タイムスロットｎと広告映像データVBの送信量の要求レベルとを指示する読出開始データDGn(ｎ＝１〜６３、以下同じ) を読出制御データとしてその情報読出装置B3のメモリ制御部１に入力する(#24) 。
前記ステップ#21 において要求されているタイトルの番組映像データVAが書き込まれている情報読出装置B3が無い場合及びステップ#22 において空タイムスロットの残っている情報読出装置B3が無い場合は、その送信要求データDAを未処理の送信要求データDAとして供給用データ記憶部B2に再記憶させて(#25) 、書込動作も読出動作も現在実行していない待機中の情報読出装置B3の有無を判別し(#26) 、待機中の情報読出装置B3が有る場合は、待機中の情報読出装置B3の一つにその番組映像データVAのタイトルとその書き込みを指示する書込開始データDFを読出制御データとして入力する(#27) 。
【００３９】
前記「情報供給終了処理」では、図８のフローチャートに示すように、その受信終了データDBを入力した端末装置Ｅと対応する情報読出装置B3との通信回線を切断するための回線切断データDL2 を通信制御データとして通信制御装置B4に入力するとともに(#31) 、その受信を終了した送信映像データVEを受信している別の端末装置Ｅの有無を判別し(#32) 、その別の端末装置Ｅが無い場合は、その送信映像データVEに対応する読出タイムスロットｎにおける読み出しの終了を指示する読出終了データDJn(ｎ＝１〜６３、以下同じ) を読出制御データとして対応する情報読出装置B3のメモリ制御部１に入力する(#33) 。
【００４０】
次に、前記読出制御部１による制御動作を、図９〜図１３のフローチャートを参照しながら説明する。
前記読出制御データ記憶部1aは、供給制御部B1から入力された読出制御データの、「書込開始処理」が終了していない未処理の書込開始データDFと「読出開始処理」が終了していない未処理の読出開始データDGn 及び「読出終了処理」が終了していない未処理の読出終了データDJn を記憶するように構成されている。
【００４１】
そして、図９のフローチャートに示すように、最初の書込開始データFDF が供給制御部B1から入力されると書込・読出制御の実行を開始し(#101)、読出制御データ記憶部１ａに記憶されている未処理の書込開始データDFと未処理の読出開始データDGn と未処理の読出終了データDJn を処理対象データとして読み出して(#102)、処理対象データ中の未処理の書込開始データDFの有無を判別し(#103)、有りの場合は「書込開始処理」を実行する(#104)。
次に、処理対象データ中の未処理の読出開始データDGn の有無を判別して(#105)、有りの場合は「読出開始処理」を実行し(#106)、無しの場合又は処理対象データ中の未処理の読出開始データDGn が無くなった場合は、処理対象データ中の未処理の読出終了データDJn の有無を判別して(#107)、有りの場合は「読出終了処理」を実行し(#108)、無しの場合又は処理対象データ中の未処理の読出終了データDJn が無くなった場合は、読出映像データVDn の末尾において読み出される番組終了データSBの検出の有無を判別して(#109)、番組終了データSBの検出が有る場合は「書込終了処理」を実行した後(#110)、新たに読出制御データ記憶部1aに記憶された処理対象データについて、ステップ#102〜#110の制御動作を繰り返す。
【００４２】
前記「書込開始処理」では、図１０のフローチャートに示すように、０番地の増加データメモリ3Bに「１」を、第１アドレスデータメモリ3Cに「MA0 −１」を各々書き込んで(#121)、書き込むべき番組映像データVAのタイトルとその送出を要求する送出要求データDEを送出制御部A1に入力し(#122)、送出映像データVCとしての番組映像データVAの頭部に付与されている番組開始データSAを検出すると(#123)、コマンドアドレスデータACM を「０」〜「６３」以外の値、例えば「１００」とすることにより(#124)、シリアル・パラレル変換回路５から出力される番組映像データVAの情報蓄積メモリ２の番組映像データ記憶領域ARA への書き込みを開始する。
【００４３】
前記「読出開始処理」では、図１１のフローチャートに示すように、読出開始データDGn で指示されている読出タイムスロットｎに対応するｎ番地の広告量データメモリ3Aに広告映像データVBの送信量の要求レベル０〜４に応じた広告量データCM0 〜CM4 を、増加データメモリ3Bに「１」を、第１アドレスデータメモリ3Cに「MA0 −１」を、第２アドレスデータメモリ3Dに「MB0 −１」を夫々書き込んだ後(#131)、コマンドアドレスデータACM を「０」〜「６３」以外の値、例えば「１００」とすることにより(#132)、番組映像データVAの読み出しが開始され、読出タイムスロットｎの期間において読み出された読出映像データVDn は送信映像データVEとして所定の端末装置Ｅに送信される。
【００４４】
前記「読出終了処理」では、図１２のフローチャートに示すように、増加データメモリ3Bを「０」とする第１コマンドデータDMA を出力しながら、読出終了データDJn で指示された読出タイムスロットｎに対応する「ｎ」のコマンドアドレスデータACM を出力することにより、制御アドレスデータACが「０」から「６３」を一巡する間に、ｎ番地の増加データメモリ3Bの内容を「０」にした後(#141)、コマンドアドレスデータACM を「０」〜「６３」以外の値、例えば「１００」とする(#142)。
【００４５】
前記「書込終了処理」では、図１３のフローチャートに示すように、アドレス制御メモリ３の書込タイムスロット０に対応する０番地の増加データメモリ3Bの内容を「０」とする第１コマンドデータDMA を出力しながら、「０」のコマンドアドレスデータACM を出力することにより、制御アドレスデータACが「０」から「６３」を一巡する間に、０番地の増加データメモリ3Bの内容を「０」にした後(#151)、コマンドアドレスデータACM を「０」〜「６３」以外の値、例えば「１００」とし(#152)、書込終了データDKを送出制御部A1に入力する(#153)。
【００４６】
そして、図５で概念的に示すように、一つのタイトルの番組映像データVAの全部のデータ量をその番組映像データVAの全部を送信するに要する時間TAとして表現し、情報蓄積メモリ２のMA0 番地からMAE 番地までの番組映像データ記憶領域ARA の書込容量をその番組映像データ記憶領域ARA の全部に書き込まれている映像データを送信するのに要する時間TAR として表現すると、図５(a) に示すように、端末装置Ｅからの送信要求DAに応じて、データ量TAが書込容量TAR よりも少ない番組映像データVAの番組映像データ記憶領域ARA への書き込みを書込開始時刻TSにおいて開始して、その書込済み番組映像データVFからの読出映像データVD1 の読み出しを開始し、図５(b) に示すように、その番組映像データVAを書き込みながら、別の端末装置Ｅからの送信要求DAに応じて、書込開始時刻TSから時間TBが経過した現在時刻TRにおいて、書込済み番組映像データVFからの読出映像データVDm(ｍ＝２〜６３) の読み出しを開始することができ、図４(c) に示すように、書込開始時刻TSから現在時刻TRまでの時間TBが時間TAになると、その番組映像データVAの全部の番組映像データ記憶領域ARA への書き込みが終了する。
従って、番組映像データVAの書き込みを開始した後は、複数の端末装置Ｅからの送信要求データDAに応じて読み出した読出タイムスロットｎ毎に読出位置が異なる複数の一連の読出映像データVDn を対応する端末装置Ｅに送信することができ、これらの読出映像データVDn の各々は、端末装置Ｅからの広告映像データVBの要求レベル０〜４に応じて、番組映像データVAの端末装置Ｅへの送信を中断して、広告映像データVBをその端末装置Ｅへ送信するように制御されている。
【００４７】
前記送出制御部A1の制御動作を、図１４〜図１６のフローチャートを参照しながら説明する。
尚、送出用データ記憶部A2は、情報読出装置B3毎の作動データとして、「送出開始処理」が終了していない未処理の送出要求データDEと「送出終了処理」が終了していない未処理の書込終了データDKを記憶し、情報出力装置A6,A7,A8毎の作動データとして、番組情報出力装置A6,A7 から出力可能な番組映像データVAのタイトルと、広告情報出力装置A8から出力可能な広告映像データVBのタイトルとを記憶している。
【００４８】
そして、図１４のフローチャートに示すように、起動電源を入力してから最初の送出要求データFDE が情報読出装置B3から送信されると制御動作を開始し(#201)、送出用データ記憶部A2から未処理の送出要求データDEと未処理の書込終了データDKを処理対象データとして読み出す(#202)。
次に、処理対象データ中の未処理の送出要求データDEの有無を判別して(#203)、有りの場合はその送出要求データDE毎に「送出開始処理」を実行し(#204)、無しの場合又は処理対象データ中の未処理の送出要求データDEが無くなった場合は、処理対象データ中の未処理の書込終了データDKの有無を判別して(#205)、有りの場合はその書込終了データDK毎に「送出終了処理」を実行し(#206)、無しの場合又は処理対象データ中の未処理の書込終了データDKが無くなった場合は、新たに送出用データ記憶部A2に記憶された処理対象データについて、ステップ#202〜#206の制御動作を繰り返す。
【００４９】
前記「送出開始処理」では、図１５のフローチャートに示すように、送出要求データDEで要求されているタイトルの番組映像データVAを出力する番組情報出力装置A6,A7 又は広告映像データVBを出力する広告情報出力装置A8と、その送出要求データDEを送信した情報読出装置B3とのデジタル通信回線を接続するための回線接続データDM1 を回線制御装置A4に入力し(#211)、映像データVA又は広告映像データVBの出力開始を指示する出力開始指示信号SCをその情報出力装置A6,A7,A8に入力して(#212)、番組映像データVA又は広告映像データVBの情報読出装置B3への送出を開始する。
【００５０】
前記「送出終了処理」では、図１６のフローチャートに示すように、その書込終了データDKを入力した情報読出装置B3と対応する番組情報出力装置A6,A7 又は広告情報出力装置A8とのデジタル通信回線を切断するための回線切断データDM2 を回線制御装置A4に入力し(#221)、番組映像データVA又は広告映像データVBの出力終了を指示する出力終了指示信号SDをその情報出力装置A6,A7,A8に入力して(#222)、番組映像データVA又は広告映像データVBの情報読出装置B3への送出を終了する。
従って、供給制御部B1と読出制御部１とメモリ制御回路４が、情報読出装置B3が複数の読出停止位置のうちの選択した読出停止位置に対応する読出停止位置データSEを読み出すと、番組映像データVAの読み出しと端末装置Ｅへの送信とを停止して、広告映像データVBの読み出しと端末装置Ｅへの送信とを開始し、情報読出装置B3が複数の送信停止位置のうちの選択した送信停止位置に対応する送信停止位置データSFを読み出すと、広告映像データVBの読み出しと端末装置Ｅへの送信とを停止して、番組映像データVAの読み出しと端末装置Ｅへの送信とを再開するように制御する制御手段に構成されている。
【００５１】
〔第２実施形態〕
図１７は情報供給システムの別実施形態のブロック図の要部を示し、第１実施形態で示したセンタ装置Ｃの情報供給装置Ｂに、情報読出装置B3の各々で読み出した読出映像データVDn を多重化する多重化装置Ｊを設け、その多重化した多重化映像データVGをケーブルテレビ用の有線通信網Ｋで端末装置Ｅの各々に送信するとともに、端末装置Ｅの各々は、その情報供給装置Ｂから予め送信されている受信チャンネルデータDNに基づいて、送信要求データDAに対応する映像データを受信できるように構成してある。
その他の構成は、第１実施形態と同様である。
【００５２】
〔その他の実施形態〕
１．本発明による情報供給方法と情報供給システムにおいて扱う第１のデータは、映画等のビデオ映像データの他、音声データ，文字データ，情報処理用或いはゲーム用のソフトウエア等のデータがあり、その種類，用途，目的は限定されない。
２．本発明による情報供給方法と情報供給システムにおいて扱う第２のデータは、広告宣伝用の映像データの他、公共の広報用や無償提供用の映像データ，音声データ，文字データ，ソフトウエア等のデータがあり、その種類，用途，目的は限定されない。
３．記憶手段から読み出した第１のデータと第２のデータを無線通信で、或いは無線通信と有線通信とを組み合わせて、送信要求に応じて複数の端末に送信するように構成されていても良い。
４．記憶手段から読み出した第１のデータと第２のデータを、パケット交換方式により、送信要求に応じて複数の端末に送信するように構成されていても良い。
５．記憶手段から読み出した第１のデータと第２のデータを、アナログ電話回線網を利用して送信要求に応じて複数の端末に送信するように構成されていても良い。
６．第１のデータを送信要求の有無にかかわらず記憶手段に書き込みながら、その書き込み中の第１のデータについて複数の端末から送信要求があると、第１のデータを送信要求に応じて時間的に異なる複数のデータとしてその記憶手段か読み出して、送信要求に対応する端末に送信するように構成されていても良い。
７．送信要求に対応する第１のデータを記憶手段に書き込みながら、読出位置が異なる複数の第１のデータをその後の送信要求の有無にかかわらずその記憶手段から読み出して、送信要求があると、その送信要求があってから最先に読み出された第１のデータを対応する端末に送信するように構成されていても良い。
８．第１のデータを記憶する記憶手段と第２のデータを記憶する記憶手段とを各別に設け、第１のデータを端末からの送信要求に応じて読み出す読出手段と第２のデータを読み出す読出手段とを各別に設けて構成されていても良い。
９．第１のデータを端末からの送信要求に応じて読み出す第１の読出手段と、第２のデータを所定の時間間隔で読み出す第２の読出手段とを各別に設けて、第１の読出手段が読出停止位置データを読み出すと、第１のデータの読み出しと端末への送信を停止して、その第１のデータの送信を停止してから最先に読み出される第２のデータの端末への送信を開始するように構成されていても良い。
１０．第１のデータを記憶手段としての書換え可能な光磁気ディスクに書き込みながら、複数の読出ヘッドを駆動して、その光磁気ディスクから読出位置が異なる複数のデータを読み出すように構成されていても良い。
１１．パーソナルコンピュータが端末として設けられていても良い。
１２．タイトルの異なる複数の情報を共通の記憶手段に順に記憶しながら、タイトルの異なる複数の情報をその共通の記憶手段から読み出すように構成しても良い。
【図面の簡単な説明】
【図１】情報供給方法と情報供給システムのブロック図
【図２】番組映像データと広告映像データの構造を示す模式図
【図３】情報読出装置のブロック図【図４】タイムチャート
【図５】情報供給方法を模式的に説明する説明図
【図６】供給制御部の制御動作を示すフローチャート
【図７】情報供給開始処理のフローチャート
【図８】情報供給終了処理のフローチャート
【図９】読出制御部の制御動作を示すフローチャート
【図１０】書込開始処理のフローチャート
【図１１】読出開始処理のフローチャート
【図１２】読出終了処理のフローチャート
【図１３】書込終了処理のフローチャート
【図１４】送出制御部の制御動作を示すフローチャート
【図１５】送出開始処理のフローチャート
【図１６】送出終了処理のフローチャート
【図１７】第２実施形態を示す情報供給方法と情報供給システムのブロック図
【符号の説明】
１  制御手段（読出制御部）
２  記憶手段
３  アドレス指定手段（アドレス制御メモリ）
４  制御手段（メモリ制御回路）
アドレス指定手段（スイッチ回路）
ARA  記憶領域
ARB  記憶領域
AMn 読出アドレス
B1  制御手段（供給制御部）
B3  読出手段
DA  送信要求
E  端末
SF  送信停止位置データ
SE  読出停止位置データ
VA  第１のデータ
VB  第２のデータ